(57)【特許請求の範囲】
【請求項１】
長手方向の上面に開口を有する筒状のバケット本体と、バケット本体と蝶番を介して連結される板状のバケット蓋とを備え、バケット蓋は、バケット本体の側面とバケット蓋の端部にそれぞれ設けられた溝部を有する丸棒同士を結合した押しバネにより開閉自在にバケット本体の開口を塞ぐ茹で麺装置用バケットの押しバネにおいて、
バケット本体側に、バケット本体の丸棒の溝部に係止するＬ型の切込みのある第１の係止板を有し、バケット蓋側に、バケット蓋の全開位置でバケット蓋の丸棒に突き当たって支持する支持部を有する連結板と、
バケット本体側に、バケット蓋の全開位置でバケット本体の丸棒に突き当たって支持する支持棒を有し、バケット蓋側に、内部にバケット蓋の丸棒の溝部に係止する開口部のある第２の係止板を有する連結棒と、
連結棒を貫通させる貫通孔を有する２枚のフランジ板と、連結板に重ね合わされて固定されるウエブ板とからなり、バネ本体を内蔵するバネ保持部と、
から構成されることを特徴とする茹で麺装置用バケットの押しバネ。
【請求項２】
請求項１に記載の茹で麺装置用バケットの押しバネであって、連結棒の開口部は、バケット蓋の丸棒に設けられた溝部のみが貫通する第１の孔と、溝部及び丸棒が貫通する第２の孔とが連結棒の軸方向に一部重なって設けられ、連結板の支持部は、押しバネの装着時にバケット蓋の丸棒と干渉しないように、連結棒の第２の係止板に対して斜め方向に軸回転可能であることを特徴とする茹で麺装置用バケットの押しバネ。
【請求項３】
請求項２に記載の茹で麺装置用バケットの押しバネであって、連結板の支持部は、押しバネの装着の際に、バケット蓋の丸棒の溝部に第２の係止板の第１の孔が係合した状態でバケット蓋の丸棒に突き当たって支持するように軸回転可能であることを特徴とする茹で麺装置用バケットの押しバネ。
【請求項４】
請求項２又は３に記載の茹で麺装置用バケットの押しバネであって、連結板の支持部は、押しバネの脱却の際に、バケット蓋の丸棒に突き当たって支持している状態から軸回転することで、丸棒をバケット蓋の丸棒の溝部に係合している連結棒の第２の係止板の第１の孔から第２の孔に移動させることが可能であることを特徴とする茹で麺装置用バケットの押しバネ。
【請求項５】
請求項１乃至４のいずれか１に記載の茹で麺装置用バケットの押しバネであって、バネ本体は、中央部でコイルの直径が膨らむ紡錘状の圧縮コイルバネであることを特徴とする茹で麺装置用バケットの押しバネ。
【請求項６】
請求項１又は請求項２に記載の茹で麺装置用バケットの押しバネの装着方法において、
押しバネの装着の際に、連結板がバケット蓋の丸棒と干渉しないように、連結板を連結棒の第２の係止板に対して斜め方向に軸回転させるステップと、
第２の係止板の第２の孔に丸棒を挿入するステップと、
丸棒を第２の係止板の第１の孔に係合させるステップと、
連結板の支持部を連結棒の第２の係止板と略平行に軸回転させ、バケット蓋の丸棒に突き当てて支持させるステップと、
バケット本体の丸棒の溝部に第１の係止板のＬ型の切込みを引掛けて係止させるステップと、を備えることを特徴とする茹で麺装置用バケットの押しバネの装着方法。
【発明の詳細な説明】
【技術分野】
【０００１】
本発明は、茹で麺装置用バケットの押しバネ、及び押しバネの装着方法に係り、特に、長手方向の上面に開口を有する筒状のバケット本体と、バケット本体と蝶番を介して連結される板状のバケット蓋とを備え、バケット蓋は、バケット本体の側面とバケット蓋の端部とを連結したバネ機構によりバケット本体の開口を開閉自在に塞ぐ茹で麺装置用バケットの押しバネ、及び押しバネの装着方法に関する。
【背景技術】
【０００２】
図６に、一般的な茹で麺装置用バケットを斜視図で示す。茹で麺装置用バケット３０は、スーパーマーケットやコンビニエンスストアなどで販売される茹で麺を自動的に製造する際に用いられる機器である。この茹で麺装置用バケット３０は、長手方向の上面に開口３１を有する筒状のバケット本体３２と、バケット本体３２と蝶番３３を介して連結される板状のバケット蓋３４とから構成される。そして、茹で麺装置用バケット３０の内部は、仕切板３５により複数の分割室３７に分割されている。バケット蓋３４は、バケット本体３２の側面とバケット蓋３４の側面とを結合したバネ機構３６により開閉自在にバケット本体３２の開口３１を塞ぐ。このバネ機構３６は、両端部にフックが設けられた引っ張りバネ３９が、バケット蓋３４に取り付けられた丸棒３８ａと、バケット本体３２に取り付けられた丸棒３８ｂとに接続される機構である。図６では、この引っ張りバネ３９は金属保護パイプ４０内に収納される。
【０００３】
茹で麺装置用バケット３０は、茹で麺装置内において平行に走行する２本のコンベアチェーン間に横方向に設置され、さらにコンベアチェーンの移動方向にも多数並置される。茹で麺装置用バケット３０は、茹で麺装置のコンベアチェーンの移動に伴って移動し、所定の位置において外部からの機構により自動的にバケット蓋３４が開けられる。そして、生麺の投入位置にて塊状の生麺が麺装置用バケット３０内に分割された分割室３７にそれぞれ投入される。その後、自動的にバケット蓋３４が閉じられ、熱湯内に送られそのまま熱湯中を通過して麺が茹で上げられる。
【０００４】
このように、バケット蓋３４は、バケット本体３２に対して繰り返し開閉されることから、バケット本体３２の側面とバケット蓋３４の側面とを結合したバネ機構３６は、繰り返し開閉に対する耐久性が要求される。また、麺を茹でる作業は連続的に行われ、生産効率が重要となる。しかし、１つの茹で麺装置用バケット３０のバネ機構３６の異常や故障が発生した場合には、装置全体を停止して修理や交換をしなければならない。従って、耐久性だけではなくバネ機構３６自体に簡易な操作性が要求される。
【０００５】
特許文献１には、断面略Ｕ字状に湾曲させたステンレス製金網の両端面をステンレス板で閉塞し、内部の長手方向にステンレス製の仕切板を隔設して複数の分割室を形成してバケット本体を構成する茹で麺装置用バケットが開示されている。ここでは、バケット蓋の長手方向の一方の端部とバケット本体の一端面との間には引っ張りバネであるコイルバネが、バケット蓋を閉じたときにはその状態を保持し、且つバケット蓋を開けたときにもその開けた状態を保持するような位置に架け渡して取り付けられていることが記載されている。
【０００６】
また、特許文献２には、仕切体によって複数の分割室を設けたバケット本体の長手方向の上面に開口を形成し、当該バケット本体の側面とバケット蓋の側面に結合した引っ張りバネによって閉じる開閉自在の長尺バケット蓋を設けた金網製筒状横型バケットが開示されている。ここでは、バケット本体とバケット蓋との間に蝶番を挟んで本体の両端面にコイル巻をした引っ張りバネを架け渡してあり、引っ張りバネは金属保護パイプに挿通されていることが記載されている。
【先行技術文献】
【特許文献】
【０００７】
【特許文献１】実用新案登録第３０２６４７０号公報
【特許文献２】実用新案登録第３０８７６００号公報
【発明の概要】
【発明が解決しようとする課題】
【０００８】
上述した従来の茹で麺装置用バケットに用いられているバネ機構である引っ張りバネ（引きバネ）は、バケット蓋を閉じたときにはバケット本体と接触し、バケット蓋を開けようとする際には、引っ張りばねの抵抗があるため閉じた状態を保持することができる。しかし、バケット蓋を開けた際には、別途ストッパーが設けられない限りはその開けた位置を保持することができないという問題がある。
【０００９】
このため、ストッパー機構を組み込み易い押しバネを用いたバネ機構が考案されている。しかし、茹で麺装置用バケットに押しバネを装着する際に、押しバネを手で引っ張り上げて取り付けなければならず簡易な装着方法とはいえない。また、この押しバネにより繰り返しバケット蓋が開閉されると故障などにより押しバネを交換しなければならなくなるが、簡単に交換できず時間的なロスが発生するという問題がある。
【００１０】
本願の目的は、かかる課題を解決し、耐久性に優れ、簡易な方法で茹で麺装置用バケットに押しバネを装着できる茹で麺装置用バケットの押しバネ、及び押しバネの装着方法を提供することである。
【課題を解決するための手段】
【００１１】
上記目的を達成するため、本発明に係る茹で麺装置用バケットの押しバネは、長手方向の上面に開口を有する筒状のバケット本体と、バケット本体と蝶番を介して連結される板状のバケット蓋とを備え、バケット蓋は、バケット本体の側面とバケット蓋の端部にそれぞれ設けられた溝部を有する丸棒同士を結合した押しバネにより開閉自在にバケット本体の開口を塞ぐ茹で麺装置用バケットの押しバネにおいて、バケット本体側に、バケット本体の丸棒の溝部に係止するＬ型の切込みのある第１の係止板を有し、バケット蓋側に、バケット蓋の全開位置でバケット蓋の丸棒に突き当たって支持する支持部を有する連結板と、バケット本体側に、バケット蓋の全開位置でバケット本体の丸棒に突き当たって支持する支持棒を有し、バケット蓋側に、内部にバケット蓋の丸棒の溝部に係止する開口部のある第２の係止板を有する連結棒と、連結棒を貫通させる貫通孔を有する２枚のフランジ板と、連結板に重ね合わされて固定されるウエブ板とからなり、内部にバネ本体を内蔵するバネ保持部と、から構成されることを特徴とする。
【００１２】
上記構成により、茹で麺装置用バケットの押しバネは、バケット本体側に設けられた第１の係止板を有する連結板と、バケット蓋側に設けられた第２の係止板を有する連結棒と、連結板に固定され、バネ本体を内蔵するバネ保持部と、から構成される。そして、バケット本体側に設けられた丸棒に第１の係止板を係止させ、バケット蓋側に設けられた丸棒に第２の係止板を係止させる。これにより、引っ張りばねの両端部のフックをバケット本体の側面とバケット蓋の端部にそれぞれ設けられた丸棒に係止する引っ張りバネによるバネ機構と同様なバネ機構とすることができる。
【００１３】
そして、バケット蓋の全開位置が規定され、連結板に設けられた支持部と、連結棒に設けられた支持棒とをそれぞれ丸棒に突き当てることにより全開位置を保持するストッパーの機能を持たせることができる。このように、押しバネにストッパーの機能を組み込むことで、茹で麺装置用バケットの押しバネを耐久性に優れた簡易な機構にすることができる。
【００１４】
また、茹で麺装置用バケットの押しバネは、連結棒の開口部が、バケット蓋の丸棒に設けられた溝部のみが貫通する第１の孔と、溝部及び丸棒が貫通する第２の孔とが連結棒の軸方向に一部重なって設けられ、連結板の支持部が、押しバネの装着時にバケット蓋の丸棒と干渉しないように、連結棒の第２の係止板に対して斜め方向に軸回転可能であることが好ましい。これにより、茹で麺装置用バケットに本発明の押しバネを挿入する際に、連結板の支持部が丸棒をかわして挿入でき、干渉することが回避される。
【００１５】
また、茹で麺装置用バケットの押しバネは、連結板の支持部が、押しバネの装着の際に、バケット蓋の丸棒の溝部に第２の係止板の第１の孔が係合した状態でバケット蓋の丸棒に突き当たって支持するように軸回転可能であることが好ましい。これにより、押しバネを手で引っ張り上げることなく押しバネを茹で麺装置用バケットに簡易に装着することができる。
【００１６】
また、茹で麺装置用バケットの押しバネは、連結板の支持部が、押しバネの脱却の際に、バケット蓋の丸棒に突き当たって支持している状態から軸回転することで、丸棒をバケット蓋の丸棒の溝部に係合している連結棒の第２の係止板の第１の孔から第２の孔に移動させることが可能であることが好ましい。これにより、茹で麺装置用バケットから押しバネを脱却させて交換する際にも、押しバネを手で引っ張り上げることなく簡易に押しバネを茹で麺装置用バケットから脱却することができる。
【００１７】
また、茹で麺装置用バケットの押しバネは、バネ本体が、中央部でコイルの直径が膨らむ紡錘状の圧縮コイルバネであることが好ましい。これにより、バネ本体が圧縮された際に横方向に座屈することがなくなり、座屈によりバネ本体の耐力が低下することが防止できる。
【００１８】
さらに、茹で麺装置用バケットの押しバネの装着方法は，押しバネの装着の際に、連結板がバケット蓋の丸棒と干渉しないように、連結板を連結棒の第２の係止板に対して斜め方向に軸回転させるステップと、第２の係止板の第２の孔に丸棒を挿入するステップと、丸棒を第２の係止板の第１の孔に係合させるステップと、連結板の支持部を連結棒の第２の係止板と略平行に軸回転させ、バケット蓋の丸棒に突き当てて支持させるステップと、バケット本体の丸棒の溝部に第１の係止板のＬ型の切込みを引掛けて係止させるステップと、を備えることが好ましい。これにより、連結板に設けられた支持部と、連結棒に設けられた支持棒とにより、バケット蓋を開けた際にその開けた位置を保持するストッパーの機能を持たせることができる。このように、押しバネにストッパーの機能を組み込むことで、耐久性に優れた簡易な機構にすることができる。
【発明の効果】
【００１９】
以上のように、本発明に係る茹で麺装置用バケットの押しバネ、及び押しバネの装着方法によれば、耐久性に優れ、簡易な方法で茹で麺装置用バケットに押しバネを装着できる茹で麺装置用バケットの押しバネ、及び押しバネの装着方法を提供することができる。
【図面の簡単な説明】
【００２０】
【図１】本発明に係る茹で麺装置用バケットの押しバネの１つの実施形態の概略構成を示す側面図及び断面図である。
【図２】バケット蓋を開けた際と閉じた際とをそれぞれ側面から示す側面図である。
【図３】茹で麺装置用バケットに押しバネを装着する手順を上側から示す説明図である。
【図４】茹で麺装置用バケットに押しバネを装着する手順を側面から示す説明図である。
【図５】茹で麺装置用バケットに押しバネを着脱する手順を示すフローチャートである。
【図６】一般的な茹で麺装置用バケットを示す斜視図である。
【発明を実施するための形態】
【００２１】
（茹で麺装置用バケットの押しバネ）
以下に、図面を用いて本発明に係る茹で麺装置用バケットの押しバネ１の実施形態につき、詳細に説明する。図１に、茹で麺装置用バケットの押しバネ１の１つの実施形態の概略構成を示す。図１（ａ）は、押しバネ１の側面図であり、バケット蓋３４を全開位置に開けた状態を図６の裏面から見た側面図である。そして、図１（ｂ）は、図１（ａ）のＡ−Ａ断面であり、図１（ｃ）は、図１（ａ）のＢ−Ｂ断面である。茹で麺装置用バケット３０は、バケット本体３２にバケット蓋３４が蝶番３３により連結される。
【００２２】
麺装置用バケットの押しバネ１は、連結板２、バネ本体１０を内蔵した連結棒３、及びバネ保持部１１から構成される。そして、押しバネ１は、茹で麺装置用バケット３０のバケット蓋３４に取り付けられた丸棒３８ａと、バケット本体３２に取り付けられた丸棒３８ｂとを結合する。この押しバネ１は、麺装置用バケット３０の両端或いは片端に設けられる。押しバネは、圧縮コイルバネとも称され、圧縮されるとその弾性復元力により元の形状に伸びて復元しようとする特性を利用したバネである。一方、引きバネ或いは引っ張りバネは、引張コイルバネとも称され、両端に設けられたフックを引っ張るとその弾性復元力により元の形状に縮んで復元しようとする特性を利用したバネである。以下、バネ機構を指す場合には、圧縮コイルバネ又は引張コイルバネと称する。本実施形態では、バネ本体１０は圧縮コイルバネであり、中央部でコイルの直径が膨らむ紡錘状をしている。この紡錘状の形状によりバネ本体１０が圧縮された際に横方向にバネ全体が座屈することがなくなり、座屈によりバネ本体１０の耐力が低下することが防止できる。
【００２３】
連結板２は、バケット本体３２側に、バケット本体３２の丸棒３８ｂの溝部１４ｂに係止するＬ型切込み７のある第１係止板４を有する。また、連結板２は、バケット蓋３４側に、バケット蓋３４の全開位置でバケット蓋３４の丸棒３８ａに突き当たって支持する支持部６を有する。このバケット本体３２の丸棒３８ｂは、丸棒支持部１６によりバケット本体３２の側面に固定される。
【００２４】
連結棒３は、バケット本体３２側に、バケット蓋３４の全開位置でバケット本体３２の丸棒３８ｂに突き当たる支持棒１５を有する。また、連結棒３は、バケット蓋３４側に、内部にバケット蓋３４の丸棒３８ａの溝部１４ａに係止する開口部８，９のある第２係止板５を有する。この開口部８，９は、バケット蓋３４の丸棒３８ａに設けられた溝部１４ａのみが貫通可能な第１孔８と、溝部１４ａ及び丸棒３８ａが貫通可能な第２孔９とが連結棒３の軸方向に一部重なる「ひょうたん型」として設けられる。
【００２５】
バネ保持部１１は、連結棒３を貫通させる貫通孔（図示せず）を有する２枚のフランジ板１２ａ，１２ｂと、連結板２に重ね合わされて溶接により固定されるウエブ板１３とからなるコの字型をした部材である。そして、コの字型の内部を貫通する連結棒３にバネ本体１０が取り付けられる。このバネ本体１０は、フランジ板１２ａ側では直接フランジ板１２ａに当接し、フランジ板１２ｂ側ではナット１７に当接する。このナット１７は、連結棒３の所定の位置に固定されている。従って、バネ本体１０はフランジ板１２ａとナット１７とに挟まれて圧縮される。
【００２６】
図２に、バケット蓋３４の側面を示す。図２（ａ）は、バケット蓋３４を全開位置に開けた状態を示し、図２（ｂ）は、バケット蓋３４を閉めた状態を示す。図２（ａ）の状態からバケット蓋３４をＸ方向に移動させると、バケット蓋３４は丸棒３８ｂを中心に回転して図２（ｂ）の状態になり、図２（ｂ）の状態からバケット蓋３４をＹ方向に移動させると、バケット蓋３４は丸棒３８ｂを中心に逆回転して図２（ａ）の状態になる。このように、バケット蓋３４は、押しバネ１により開閉自在にバケット本体３２の開口を塞ぐ。
【００２７】
このように、茹で麺装置用バケットの押しバネ１は、引張コイルバネの両端部のフックをバケット本体３２の側面に設けられた丸棒３８ｂと、バケット蓋３４の端部に設けられた丸棒３８ａとに係止する引張コイルバネによるバネ機構と同様な圧縮コイルバネによるバネ機構とすることができる。すなわち、バケット本体３２側に設けられた丸棒３８ｂに第１係止板４を係止させ、バケット蓋３４側に設けられた丸棒３８ａに第２係止板５を係止させることで押しバネ１全体として両端部にフックを有する引張コイルバネと同様な構成となる。そして、連結板２に固定されたバネ保持部１１の内部にバネ本体１０を内蔵させ、連結棒３の動作に追従するナット１７と、連結板２の動作に追従するフランジ板１２ａにより、押しバネ１全体が引っ張られる場合にはバネ本体１０が圧縮されるバネ機構とすることができる。
【００２８】
図１に示すように、この圧縮コイルバネによるバネ機構を採用することにより、連結板２の上端を延長して支持部６とし、連結棒３の下端を延長して支持棒１５とし、支持部６及び支持棒１５に、バケット蓋３４の全開位置でそれぞれ丸棒３８ａ，ｂに当接するストッパーの役割を担わせることができる。
【００２９】
（押しバネの装着機構）
上述した圧縮コイルバネによるバネ機構において、茹で麺装置用バケット３０に本発明に係る押しバネ１を装着する手順を説明する。図３に、茹で麺装置用バケット３０に押しバネ１を装着する手順を上側から示し、図４に、茹で麺装置用バケット３０に押しバネ１を装着する手順を側面から示す。図３（ａ）及び図４（ａ）は、丸棒３８ａに押しバネ１を挿入した状態であり、図３（ｂ）及び図４（ｃ）は、丸棒３８ａの溝部１４ａに押しバネ１を装着した状態である。また、図４（ｂ）は、図４（ａ）のＣ−Ｃ断面を示し、図４（ｄ）は、図４（ｃ）のＤ−Ｄ断面を示す。
【００３０】
図４（ｃ）に示すように、連結板２の支持部６の先端を丸棒３８ａに突き当てると、丸棒３８ａは第２係止板５の第１孔８の位置となる。この第１孔８の直径は、丸棒３８ａに設けられた溝部１４ａが貫通するサイズであり、丸棒３８ａは貫通できない。すなわち、押しバネ１を茹で麺装置用バケット３０に装着するには丸棒３８ａを第２孔９に通さなければならず、その状態では、支持部６の先端は丸棒３８ａと干渉してしまい、押しバネ１はそのままでは茹で麺装置用バケット３０に装着できない。そこで、押しバネ１を下方に引っ張り込んで無理やり挿入することになるが、バネ本体１０の復元力に抗して押しバネ１を引っ張り込むのは容易ではなく、労力と時間がかかる。
【００３１】
そこで、本発明では図３（ａ）に示すように、連結板２の支持部６は、押しバネ１の装着時にバケット蓋３４の丸棒３８ａと干渉しないように、連結棒３の第２係止板５に対して斜め方向に軸回転させる。すなわち、連結板２の支持部６を図３（ａ）に示すライン（Ｃ）を超すまで軸回転させることで丸棒３８ａをかわして連結板２の支持部６が挿入できる。図４（ａ）にこの動作を側面から見た様子を示す。連結板２の支持部６は、側面から見ると斜めに傾けられて丸棒３８ａに挿入されるように見える。挿入された押しバネ１は、図３及び図４に示す方向（Ｚ）に移動し、丸棒３８ａの溝部１４ａの位置に設置される。そして、図４（ｂ）から図４（ｄ）への変化に示すように、丸棒３８ａの位置を第２係止板５の第２孔９から第１孔８へと移動させる。
【００３２】
連結板２の支持部６は、押しバネ１の装着の際に、バケット蓋３４の丸棒３８ａの溝部１４ａに連結棒３の第２係止板５の第１孔８が係合した状態で、バケット蓋３４の丸棒３８ａに突き当たって支持するように軸回転する。すなわち、図３（ｂ）及び図４（ｃ）に示すように、連結棒３の第２係止板５の位置を下げて丸棒３８ａを第１孔８に係合した状態とすると、連結板２の支持部６の位置は丸棒３８ａをかわせる位置になる。そして、連結板２の支持部６を上述した軸回転方向と逆方向に軸回転させる。その結果、図３（ｂ）及び図４（ｃ）に示すように、押しバネ１は、茹で麺装置用バケット３０の丸棒３８ａに装着される。
【００３３】
一方、連結板２の支持部６は、押しバネ１の脱却の際に、バケット蓋３４の丸棒３８ａに突き当たって支持している状態から軸回転することで、丸棒３８ａをバケット蓋３４の丸棒３８ａの溝部１４ａに係合している連結棒３の第２係止板５の第１孔８から第２孔９に移動させる。すなわち、押しバネ１を茹で麺装置用バケット３０から脱却させる場合には、上述した手順と逆の手順を踏むことができる。
【００３４】
押しバネ１をバケット蓋３４の丸棒３８ａに装着した後、バケット本体３２の丸棒３８ｂに連結板２の第１係止板４を係止させる。つまり、バケット本体３２の丸棒３８ｂの溝部１４ｂに第１係止板４のＬ型切込み７を引掛けることで容易に係止させることができる。これにより、押しバネ１の茹で麺装置用バケット３０の丸棒３８ａ及び丸棒３８ｂへの装着が完了する。
【００３５】
（押しバネの装着方法）
以下に、図面を用いて本発明に係る押しバネ１の装着方法を図５のフローチャートを用いて説明する。押しバネ１の脱却方法は、この装着方法の逆の動作を行えばよい。なお、各ステップは、Ｓ１〜Ｓ５により示す。
【００３６】
押しバネ１の装着の際に、連結板２がバケット蓋３４の丸棒３８ａと干渉しないように、連結板２を連結棒３の第２係止板５に対して斜め方向に軸回転させる（Ｓ１）。このステップは、図３（ａ）及び図４（ａ）,（ｂ）に示す状態である。これにより、茹で麺装置用バケット３０に本発明の押しバネ１を挿入する際に、連結板２の支持部６が丸棒３８ａをかわして挿入でき、互いに干渉することが回避される。
【００３７】
次に、第２係止板５の第２孔９に丸棒３８ａを挿入する（Ｓ２）。そして、丸棒３８ａを第２係止板５の第１孔８に係合させ（Ｓ３）、連結板２の支持部６を連結棒３の第２係止板５と略平行に軸回転させ、バケット蓋３４の丸棒３８ａに突き当てて支持させる（Ｓ４）。これらのステップにより、図３（ｂ）及び図４（ｃ）,（ｄ）に示す状態となり、押しバネ１は、茹で麺装置用バケット３０の丸棒３８ａへの装着が完了する。
【００３８】
バケット本体３２の丸棒３８ｂの溝部１４ｂに第１係止板４のＬ型切込み７を引掛けて係止させる（Ｓ５）。これにより、押しバネ１の茹で麺装置用バケット３０の丸棒３８ａ及び丸棒３８ｂへの装着が完了する。
【符号の説明】
【００３９】
１  （茹で麺装置用バケットの）押しバネ、２  連結板、３  連結棒、４  第１係止板、５  第２係止板、６  支持部、７  Ｌ型切込み、８  第１孔、９  第２孔、１０  バネ本体、１１  バネ保持部、１２ａ，１２ｂ  フランジ板、１３  ウエブ板、１４ａ，１４ｂ  溝部、１５  支持棒、１６  丸棒支持部、１７  ナット、３０  茹で麺装置用バケット、３１  開口、３２  バケット本体、３３  蝶番、３４  バケット蓋、３５  仕切板、３６  バネ機構、３７  分割室、３８ａ，３８ｂ  丸棒、３９  引っ張りバネ、４０  金属保護パイプ
【要約】
【課題】耐久性に優れ、簡易な方法で茹で麺装置用バケットに押しバネを装着できる茹で麺装置用バケットの押しバネ、及び押しバネの装着方法を提供する。
【解決手段】押しバネ１は、バケット本体３２側に丸棒３８ｂに係止するＬ型切込み７のある第１係止板４を有し、バケット蓋３４側にバケット蓋３４の全開位置で丸棒３８ａに突き当たって支持する支持部６を有する連結板２、バケット本体３２側にバケット蓋３４の全開位置でバケット本体３２の丸棒３８ｂに突き当たる支持棒１５を有し、バケット蓋３４側に内部にバケット蓋３４の丸棒３８ａに係止する開口部８，９のある第２係止板５を有する連結棒３、及び２枚のフランジ板１２と、連結板２に重ね合わされて固定されるウエブ板１３とからなり、バネ本体１０を内蔵するバネ保持部１１から構成される。
【選択図】図１【図１】
0004700757.tif 000002
【図２】
0004700757.tif 000003
【図３】
0004700757.tif 000004
【図４】
0004700757.tif 000005
【図５】
0004700757.tif 000006
【図６】
0004700757.tif 000007